(57)【要約】【課題】受信装置において、複数のチューナ間でのアンテナ利用の効率化を図る。【解決手段】複数の視方向に対する個別画像を同一画面上に表示する表示手段３−１，３−２と、複数のチューナ２１，２２と、複数のチューナ２１，２２に接続される複数のアンテナ２５−１〜２５−ｍと、複数のチューナ２１，２２と複数のアンテナ２５−１〜２５−ｍの接続状態を切り替えるアンテナ切替手段２６と、１つの視方向に対する個別画像に対応する第１放送番組と、前記一つの視方向以外の少なくとも一つの視方向に対する個別画像に対応する第２放送番組との異同を検出する検出手段６４３と、検出手段６４３の検出結果に基づいて、アンテナ切替手段２６を制御する制御手段６５１とをそなえる。【選択図】図１
2007043658.tif 000002
【特許請求の範囲】
【請求項１】
複数の視方向に対する個別画像を同一画面上に表示する表示手段と、
複数のチューナと、
前記複数のチューナに接続される複数のアンテナと、
前記複数のチューナと前記複数のアンテナの接続状態を切り替えるアンテナ切替手段と、
１つの視方向に対する個別画像に対応する第１放送番組と、前記１つの視方向以外の少なくとも一つの視方向に対する個別画像に対応する第２放送番組との異同を検出する検出手段と、
該検出手段の検出結果に基づいて、前記アンテナ切替手段を制御する制御手段と、を備えることを特徴とする受信装置。
【請求項２】
前記制御手段は、
前記第１放送番組と、前記第２放送番組とが同じ場合、前記第１放送番組を受信する第１チューナおよび／または前記第２放送番組を受信する第２チューナを用いて共通のダイバーシティ制御を行なうように前記アンテナ切替手段を制御し、
前記第１放送番組と、前記第２放送番組とが異なる場合、前記第１チューナおよび前記第２チューナそれぞれで個別のダイバーシティ制御を行なうように前記アンテナ切替手段を制御することを特徴とする請求項１記載の受信装置。
【請求項３】
前記第１チューナで受信する放送番組を前記第１放送番組として前記表示手段に表示するとともに、前記第２チューナで受信する放送番組を前記第２放送番組として前記表示手段に表示する個別表示状態と、
前記第１チューナまたは前記第２チューナで受信する放送番組を、前記第１放送番組および前記第２放送番組として前記表示手段に表示する共通表示状態と、を切換制御する表示制御手段を更にそなえることを特徴とする、請求項２記載の受信装置。
【請求項４】
少なくとも一つのチューナに対して選局指示を行なう選局指示手段と、
前記選局指示に基づいて、前記複数のチューナの少なくとも一のチューナに対して選局サーチを指示する選局サーチ手段と、を備え、
前記表示制御手段は、前記選局サーチ手段の選局サーチ指示による前記少なくとも１つチューナの選局動作に基づいて前記切換制御を行なうことを特徴とする請求項３記載の受信装置。
【請求項５】
前記第１放送番組と前記第２放送番組が同じ放送番組のときに、前記選局指示手段から選局指示を検出した場合、前記選局サーチ手段は、前記第１チューナおよび第２チューナの一方のチューナに選局サーチを指示し、
前記表示制御手段は、前記一方のチューナの選局サーチが完了し、前記一方のチューナで受信した放送番組が表示可能になった時点で前記切換制御を行なうことを特徴とする請求項４記載の受信装置。
【請求項６】
該選局サーチ手段は、第１放送番組と第２放送番組が同じ放送番組の場合、第１チューナおよび第２チューナの一方のチューナに対して選局サーチを指示することを特徴とする請求項４記載の受信装置。
【請求項７】
さらに、前記第１チューナまたは前記第２チューナの受信状態を検出する受信状態検出手段を備え、
前記選局サーチ手段は、前記受信状態検出手段により検出された前記受信状態が所定閾値以上の場合に、前記一方のチューナに対する選局サーチを指示することを特徴とする、請求項６記載の受信装置。
【請求項８】
さらに、当該受信装置が搭載される移動体の停止状態を検出する停止状態検出手段を備え、
前記選局サーチ手段は、前記停止状態検出手段により前記移動体の停止状態が検出された場合に、前記一方のチューナに対する選局サーチを指示することを特徴とする請求項６記載の受信装置。
【請求項９】
さらに、前記第１チューナおよび前記第２チューナの受信状態を検出する受信状態検出手段を備え、
前記表示制御手段は、前記個別表示状態で、かつ前記受信状態検出手段により前記第１チューナおよび前記第２チューナの一方のチューナの受信状態が所定閾値以下となったことを検出した場合、前記共通表示状態に切換制御することを特徴とする請求項３記載の受信装置。
【請求項１０】
さらに、
前記複数の視方向に対する個別画像に対応する複数の音出力手段と、
前記複数のチューナの受信状態を検出する受信状態検出手段と、
前記受信状態検出手段により、受信状態が所定閾値以下となったチューナを検出し、該チューナで受信する放送番組に対応する音をミュートするように前記音出力手段を制御する音制御手段と、を備えることを特徴とする請求項１記載の受信装置。
【請求項１１】
さらに、
前記複数の視方向に対する個別画像に対応する複数の音を出力する音出力手段と、
複数のチューナ以外の入力ソースと、
前記複数のチューナの受信状態を検出する受信状態検出手段と、
前記受信状態検出手段により、受信状態が所定閾値以下のチューナを検出し、該チューナで受信する放送番組に対応する音を前記入力ソースからの音に切り替えるよう前記音出力手段を制御する音制御手段と、を備えることを特徴とする請求項１記載の受信装置。
【請求項１２】
前記複数のチューナの動作状態に応じて、前記複数のアンテナの前記チューナに対する割り当てを規定するアンテナ割り当て規定手段と、を備えることを特徴とする請求項１記載の受信装置。
【請求項１３】
当該受信装置が搭載される移動体の移動状態を検出する移動状態検出手段と、
前記移動状態検出手段の検出結果に基づいて、前記複数のアンテナの前記複数のチューナに対する割り当てを規定するアンテナ割り当て規定手段と、を備えることを特徴とする請求項１記載の受信装置。
【発明の詳細な説明】
【技術分野】
【０００１】
本発明は、受信装置に関し、視方向別に映像（画像）が視認できる表示部をそなえたものにおいて、特に車両において用いて好適の、受信装置に関するものである。
【背景技術】
【０００２】
最近の比較的多くの自動車には、ナビゲーション装置やテレビ、ＤＶＤプレーヤ等の画像表示機能を持つビジュアル機器が搭載されるようになってきている。特許文献１には、このような車両用の表示装置の公知技術として、目線の角度により異なる表示情報が得られることに着目して、一つの表示部を使い分けることにより、視認方向により２種類の画像表示を同時に行えるようにした、表示装置について記載されている。
【０００３】
このような視認方向により同時に２種類の画像表示を行えるように一つの表示部を使い分けた表示装置（以下、マルチビュー表示装置）においては、２種類の画像表示に対応できるようにするために、放送電波受信用に２つのチューナが搭載されることが検討されている。
【特許文献１】特開２００３−１３７００５号
【発明の開示】
【発明が解決しようとする課題】
【０００４】
しかしながら、上述の特許文献１においては、複数のチューナ間でのアンテナ利用についての具体的な技術については記載されておらず、複数のチューナを用いた放送番組の視聴状態に応じて効率的にアンテナを利用することは、表示される複数の放送番組の受信状態を向上させるために必要な技術となっている。
本発明は、このような課題に鑑み創案されたもので、受信装置において、複数のチューナ間でのアンテナ利用の効率化を図ることを目的とする。
【課題を解決するための手段】
【０００５】
このため、本発明の受信装置は、複数の視方向に対する個別画像を同一画面上に表示する表示手段と、複数のチューナと、前記複数のチューナに接続される複数のアンテナと、前記複数のチューナと前記複数のアンテナの接続状態を切り替えるアンテナ切替手段と、１つの視方向に対する個別画像に対応する第１放送番組と、前記１つの視方向以外の少なくとも一つの視方向に対する個別画像に対応する第２放送番組との異同を検出する検出手段と、該検出手段の検出結果に基づいて、前記アンテナ切替手段を制御する制御手段と、を備えることを特徴としている。
【０００６】
また、前記制御手段は、前記第１放送番組と、前記第２放送番組とが同じ場合、前記第１放送番組を受信する第１チューナおよび／または前記第２放送番組を受信する第２チューナを用いて共通のダイバーシティ制御を行なうように前記アンテナ切換手段を制御し、前記第１放送番組と、前記第２放送番組とが異なる場合、前記第１チューナおよび前記第２チューナそれぞれで個別のダイバーシティ制御を行なうように前記アンテナ切換手段を制御することもできる。
【０００７】
この場合においては、前記第１チューナで受信する放送番組を前記第１放送番組として前記表示手段に表示するとともに、前記第２チューナで受信する放送番組を前記第２放送番組として前記表示手段に表示する個別表示状態と、前記第１チューナまたは前記第２チューナで受信する放送番組を、前記第１放送番組および前記第２放送番組として前記表示手段に表示する共通表示状態と、を切換制御する表示制御手段を更にそなえることとしてもよい。
【０００８】
さらに、好ましくは、少なくとも一つのチューナに対して選局指示を行なう選局指示手段と、前記選局指示に基づいて、前記複数のチューナの少なくとも一つのチューナに対して選局サーチを指示する選局サーチ手段と、を備え、前記表示制御手段は、前記選局サーチ手段の選局サーチ指示による前記少なくとも一のチューナの選局動作に基づいて前記切換制御を行なうこともできる。
【０００９】
また更に、前記第１放送番組と前記第２放送番組が同じ放送番組のときに、前記選局指示手段から選局指示を検出した場合、前記選局サーチ手段は、前記第１チューナおよび第２チューナの一方のチューナに選局サーチを指示し、前記表示制御手段は、前記一方のチューナの選局サーチが完了し、前記一方のチューナで受信した放送番組が表示可能になった時点で前記切換制御を行なうこともできる。
【００１０】
さらには、該選局サーチ手段は、第１放送番組と第２放送番組が同じ放送番組の場合、第１チューナおよび第２チューナの一方のチューナに対して選局サーチを指示することとしてもよい。
さらに、前記第１チューナまたは前記第２チューナの受信状態を検出する受信状態検出手段を備え、前記選局サーチ手段は、前記受信状態検出手段により検出された前記受信状態が所定閾値以上の場合に、前記一方のチューナに対する選局サーチを指示することもできる。またさらに、当該受信装置が搭載される移動体の停止状態を検出する停止状態検出手段を備え、前記選局サーチ手段は、前記停止状態検出手段により前記移動体の停止状態が検出された場合に、前記一方のチューナに対する選局サーチを指示することとしてもよい。
【００１１】
さらに、前記第１チューナおよび前記第２チューナの受信状態を検出する受信状態検出手段を備え、前記表示制御手段は、前記個別表示状態で、かつ前記受信状態検出手段により前記第１チューナおよび前記第２チューナの一方のチューナの受信状態が所定閾値以下となったことを検出した場合、前記共通表示状態に切換制御することもできる。
さらに、前記複数の視方向に対する個別画像に対応する複数の音出力手段と、前記複数のチューナの受信状態を検出する受信状態検出手段と、前記受信状態検出手段により、受信状態が所定閾値以下となったチューナを検出し、該チューナで受信する放送番組に対応する音をミュートするように前記音出力手段を制御する音制御手段と、を備えることとしてもよい。
【００１２】
さらに、前記複数の視方向に対する個別画像に対応する複数の音を出力する音出力手段と、複数のチューナ以外の入力ソースと、前記複数のチューナの受信状態を検出する受信状態検出手段と、前記受信状態検出手段により、受信状態が所定閾値以下のチューナを検出し、該チューナで受信する放送番組に対応する音を前記入力ソースからの音に切り替えるよう前記音出力手段を制御する音制御手段と、を備えることもできる。
【００１３】
また、前記複数のチューナの動作状態に応じて、前記複数のアンテナの前記チューナに対する割り当てを規定するアンテナ割り当て規定手段と、を備えることもできる。
さらに、当該受信装置が搭載される移動体の移動状態を検出する移動状態検出手段と、前記移動状態検出手段の検出結果に基づいて、前記複数のアンテナの前記複数のチューナに対する割り当てを規定するアンテナ割り当て規定手段と、を備えることもできる。
【００１４】
また、本発明の関連発明の受信装置は、同一表示面で第１視方向から映像（画像）を観察できる第１表示部と第２視方向から映像（画像）を観察できる第２表示部とを有するマルチビュー表示部と、第１チューナおよび第２チューナと、上記の第１チューナおよび第２チューナのための複数のアンテナと、上記の複数のアンテナと第１チューナおよび第２チューナとの接続状態を切り替えるアンテナ切替部と、上記の第１表示部および第２表示部で表示されている各映像（画像）の異同を検出する映像（画像）検出手段と、該映像（画像）検出手段での検出結果に基づき、該アンテナ切替部を制御して、上記の複数のアンテナと第１チューナおよび第２チューナとの接続状態を変更する接続状態変更制御部とをそなえて構成されたことを特徴としている。
【００１５】
また、好ましくは、該接続状態変更制御部が、該映像（画像）検出手段で上記の第１表示部および第２表示部で表示されている映像（画像）が同じであることが検出されている間は、上記の第１チューナおよび第２チューナに共通の空間ダイバーシティ制御となるように、該アンテナ切替部を制御する一方、該映像（画像）検出手段で上記の第１チューナおよび第２チューナで表示されている映像（画像）が同じでないことが検出されると、上記の第１チューナおよび第２チューナに共通の空間ダイバーシティ制御を解除して、上記の第１チューナおよび第２チューナ個別の空間ダイバーシティ制御となるように、該アンテナ切替部を制御するように構成することもできる。
【００１６】
さらに、該第１表示部での映像（画像）表示状態と該第２表示部での映像（画像）表示状態とを制御する映像制御部をそなえて構成することとしてもよい。
また、上記の第１チューナおよび第２チューナに対して選局指示を行なう選局指示部と、該選局指示部での選局指示に基づいて上記の第１チューナおよび第２チューナの選局サーチを行なう選局サーチ部と、を備え、該映像（画像）制御部を、該選局サーチ部による選局サーチ動作に基づいて、上記の第１チューナからの映像（画像）および第２チューナからの映像（画像）についての映像（画像）切替制御を行なうように構成することもできる。
【００１７】
この場合において、好ましくは、該選局サーチ部は、該選局指示部により、上記の第１チューナおよび第２チューナで同じ番組を選局中に異なった番組に切り替える指示がなされると、上記の第１チューナおよび第２チューナの一方のチューナについて該異なった番組の選局サーチを行なうように構成するとともに、該映像（画像）制御部は、該選局サーチ部により該一方のチューナについて上記の選局サーチが終了して、該一方のチューナを通じて該異なった番組の映像（画像）表示が可能となったときに、映像（画像）切替を実行するように構成することができる。
【００１８】
さらに、好ましくは、該選局サーチ部による上記一方のチューナについての選局サーチ中にその旨の表示を行なう選局サーチ中表示手段を設けることができる。
また、該選局サーチ部は、上記の第１チューナおよび第２チューナで同じ番組を選局中に、上記一方のチューナについて選局サーチを行なうように構成することとしてもよい。
この場合において、上記の第１チューナおよび第２チューナの受信状態を検出する受信状態検出手段をそなえ、該選局サーチ部を、該受信状態検出手段により閾値以上の受信状態が検出されているときに、上記の第１チューナおよび第２チューナの一方のチューナについて選局サーチを行なうように構成することもできる。
【００１９】
さらに、乗物に搭載される受信装置であって、該乗物の停止状態を検出する停止状態検出手段をそなえ、該選局サーチ部を、該停止状態検出手段により該乗物の停止状態が検出されているときに、上記の第１チューナおよび第２チューナの一方のチューナについて選局サーチを行なうように構成することとしてもよい。
この場合においては、該停止状態検出手段により該乗物の停止状態が検出されているときに、表示画像用アンテナを選択するとともに、該表示画像用アンテナ以外のアンテナを選局サーチ用アンテナとして選択するアンテナ選択部を設けることとしてもよい。
【００２０】
また、乗物に搭載される受信装置であって、該乗物の走行状態を検出する走行状態検出手段をそなえ、該走行状態検出手段により該乗物の走行状態が検出されているときは、運転席以外の視方向から観察できる表示が、受信状態が閾値以上のチューナからのものとなるように、該映像制御部が映像の切替を行なうように構成することもできる。
さらに、上記の第１チューナおよび第２チューナの受信状態を検出する受信状態検出手段をそなえ、該映像（画像）制御部を、該受信状態検出手段により上記の第１チューナおよび第２チューナのいずれかで閾値よりも小さい受信状態が検出されたときに、上記閾値よりも小さい受信状態のチューナ以外のチューナからの映像（画像）に切り替えるように構成することができる。
【００２１】
さらに、該選局サーチ部は、該受信状態検出手段により上記の第１チューナおよび第２チューナのいずれかで閾値よりも小さい受信状態が検出されているときに、上記閾値よりも小さい受信状態のチューナ以外のチューナからの番組と同じ番組を上記閾値よりも小さい受信状態のチューナについてサーチしておき、該映像（画像）制御部は、上記閾値よりも小さい受信状態のチューナについて受信状態が該閾値以上になると、上記閾値よりも小さい受信状態であったチューナからの映像（画像）を表示すべき表示部において、上記閾値よりも小さい受信状態であったチューナの映像（画像）に切り替えるように構成することができる。
【００２２】
また、該マルチビュー表示部における一方の表示部に対し、映像（画像）の切替指示を行なう映像（画像）切替指示部をそなえ、該映像（画像）制御部は、該映像（画像）切替指示部による映像（画像）の切替指示を受けて、該マルチビュー表示部における他方の表示部による表示を該一方の表示部にて行なうように構成することができる。
さらに、該マルチビュー表示部における一方の表示部に対し、複数番組の映像（画像）表示を行なわせるための指示を行なうマルチ映像（画像）表示指示部をそなえ、該映像（画像）制御部は、該マルチ映像（画像）表示指示部による映像（画像）の表示指示を受けて、該一方の表示部に、複数番組の映像（画像）表示を行なわせるように構成してもよい。
【００２３】
また、上記のマルチビュー表示部における第１表示部および第２表示部のための複数のスピーカと、上記の複数のスピーカから出力される音についての制御を行なう音制御部とをそなえて構成することができる。
この場合においては、上記の第１チューナおよび第２チューナの受信状態を検出する受信状態検出手段をそなえ、該映像（画像）制御部を、該受信状態検出手段により上記の第１チューナおよび第２チューナのいずれかで閾値よりも小さい受信状態が検出されたときに、上記閾値よりも小さい受信状態のチューナ以外のチューナからの映像（画像）に切り替えるように構成するとともに、該音制御部は、該受信状態検出手段により上記の第１チューナおよび第２チューナのいずれかで閾値よりも小さい受信状態が検出されたときに、上記閾値よりも小さい受信状態のチューナ以外からのチューナからの映像（画像）に対応する音に切り替えるように構成することができる。
【００２４】
さらに、上記の第１チューナおよび第２チューナの受信状態を検出する受信状態検出手段をそなえ、該音制御部は、該受信状態検出手段により上記の第１チューナおよび第２チューナのいずれかで閾値よりも小さい受信状態が検出された状態が所定時間継続すると、上記閾値よりも小さい受信状態のチューナからの映像（画像）に対応する音をミュートしていくように構成することもできる。
【００２５】
また、この場合において、該音制御部は、該受信状態検出手段により上記の第１チューナおよび第２チューナのいずれかで閾値よりも小さい受信状態が検出された状態から所定時間以内に受信状態悪化度合いの高い他の閾値よりも小さい状態が検出されると、上記他の閾値よりも小さい受信状態のチューナからの映像（画像）に対応する音を遮断するように構成することもできる。
【００２６】
さらに、該マルチビュー表示部に接続された上記の第１チューナおよび第２チューナ以外の入力ソ−ス部と、上記の第１チューナおよび第２チューナの受信状態を検出する受信状態検出手段と、をそなえ、該音制御部は、該受信状態検出手段により上記の第１チューナおよび第２チューナのいずれかで閾値よりも小さい受信状態が検出されたときに、上記入力ソ−ス部からの音に切り替えるように構成することができる。
【００２７】
また、該音制御部は、上記閾値よりも小さい受信状態のチューナについて受信状態が該閾値以上になると、上記閾値よりも小さい受信状態であったチューナからの音に切り替えるように構成することも可能である。
さらに、上記の第１チューナおよび第２チューナの動作状態に応じて、該複数のアンテナの上記の第１チューナおよび第２チューナへの割り当てを規定するアンテナ割当規定手段を備えることとしてもよい。
【発明の効果】
【００２８】
このように、本発明によれば、制御手段により、検出手段の検出結果に基づき、アンテナ切替手段を制御して、複数のアンテナと複数のチューナとの接続状態を切り替えることができるので、高画質受信と、多放送受信とのバランスがとれ、複数のチューナの有効利用を図りつつ、複数のチューナでの受信用に複数のアンテナを効率的に使い分けることで、多放送受信を円滑に行なうことができる利点がある。
【発明を実施するための最良の形態】
【００２９】
以下、図面を参照することにより、本発明の実施の形態について説明する。
なお、上述の本願発明の目的のほか、他の技術的課題，その技術的課題を解決する手段及びその作用効果についても、以下の実施の形態による開示によって明らかとなる。
〔Ａ〕一実施形態の説明
〔Ａ−１〕マルチビュー表示装置１の全体構成について
図１は、本発明の一実施形態にかかる受信装置であるマルチビュー表示装置１の全体構成を示すブロック図である。この図１に示すように、マルチビュー表示装置１は、自動車等の乗物に搭載されて、第１，第２チューナ２１，２２からのソース情報（映像（画像）および音声表示の源となる情報）や、入力ソースに相当するナビゲーション装置２３およびＤＶＤ装置２４からのソース情報を取り込んで、マルチビュー表示部３やスピーカ５３−１〜５３−ｎ又はヘッドホン５４等を通じて表示するものである。
【００３０】
さらに、マルチビュー表示部（表示手段）３は、同一表示面上に第１視方向である例えば運転席側方向から運転席側個別映像（画像）を観察できる第１表示部３−１と第２視方向である例えば助手席側方向から助手席側個別映像（画像）を観察できる第２表示部３−２とを有し、上述のソース情報として互いに異なるものを第１，第２表示部３−１，３−２に同時に表示することができるようになっている。
【００３１】
このため、この図１に示すマルチビュー表示装置１は、ソース情報を取り込むためのソース情報取込部２０と、ソース情報取込部２０で取り込んだソース情報のうちの映像（画像）情報について表示処理する映像（画像）表示処理部３０と、ソース情報取込部２０で取り込んだソース情報のうちの音情報について出力処理する音出力処理部５０と、各種検出処理および制御処理を行なう検出制御処理部６０と、をそなえている。
【００３２】
ここで、ソース情報取込部２０は、上述の第１，第２チューナ２１，２２，ナビゲーション装置２３およびＤＶＤ装置２４とともに、ｍ個（ｍは複数；例えばｍは４）のアンテナ２５−１〜２５−ｍ，アンテナ切替回路（アンテナ切替手段）２６および分配回路２７をそなえている。
アンテナ２５−１〜２５−ｍは、第１，第２チューナ２１，２２のためにｍ個設けられたものであって、アンテナ切替回路２６は、上述の複数のアンテナ２５−１〜２５−ｍと第１，第２チューナ２１，２２との接続状態を切り替えるものである。従って、第１，第２チューナ２１，２２としては、アンテナ切替回路２６において接続されるアンテナを相互に切替可能とすることもでき、この場合には、第１，第２チューナ２１，２２では、例えばテレビジョン情報等の少なくとも同質の情報を受信処理することができる。
【００３３】
また、分配回路（表示制御手段）２７は、上述の第１，第２チューナ２１，２２で復調されたソース情報や、ナビゲーション装置２３およびＤＶＤ装置２４からのソース情報のうちで、映像（画像）情報として再生すべきソース情報を第１，第２表示部３−１，３−２での表示用に一つずつ選択するとともに、選択された２つのソース情報を映像（画像）情報および音声情報に分配するものである。そして、この分配回路２７で選択、分配されたソース情報のうち、映像（画像）情報については映像（画像）表示処理部３０に、音情報については音出力処理部５０に、それぞれ出力されるようになっている。
【００３４】
さらに、映像（画像）表示処理部３０は、第１，第２画質調整回路４２−１，４２−２，第１，第２書込回路４３−１，４３−２，ＶＲＡＭ（Video Random Access Memory）４４をそなえるとともに、上述のマルチビュー表示部３をそなえている。
ここで、第１，第２画質調整回路４２−１，４２−２は、分配回路２７で選択、分配された２つの映像（画像）情報についてそれぞれ入力されて、入力された映像（画像）情報についての（映像（画像）表示時の）画質を調整するものである。即ち、第１画質調整回路４２−１においては、第１表示部３−１で表示すべき映像（画像）情報をなすデータが入力され、第１表示部３−１での映像（画像）表示時の画質を調整すべく、入力された映像（画像）情報をなすデータに加工を施す。同様に、第２画質調整回路４２−２においては、第２表示部３−２で表示すべき映像（画像）情報をなすデータが入力され、第２表示部３−２での映像（画像）表示時の画質を調整すべく、入力された映像（画像）情報をなすデータに加工を施す。
【００３５】
また、第１，第２書込回路４３−１，４３−２はそれぞれ、第１，第２画質調整回路４２−１，４２−２で画質が調整された映像（画像）情報をなすデータについて、マルチビュー表示部３で表示するためにＶＲＡＭ４４に書き込むものである。
ここで、マルチビュー表示部３は、例えば図２に示すように、車室４内のセンターパネル位置に搭載されて、車室４内で着座している座席位置によらず、表示画像を容易に視認できるようになっている。この図２に示す車室４においては、右側座席前方にハンドル部２が設けられ、右側座席が運転席、左側座席が助手席となっている。
【００３６】
したがって、マルチビュー表示部３の第１表示部３−１は、第１視方向として例えば右側の運転席側方向から運転席側用映像（画像）を観察することができ、第２表示部３−２は、第２視方向として例えば左側の助手席側方向から助手席側用映像（画像）を観察できるようになっている。
なお、図２中において、１１はセンターパネル部に設けられた操作ボタン部、１２は助手席側に設けられた操作ボタン部、１３は運転席側の図中ハンドル部２に設けられた操作ボタン部であって、これらの操作ボタン部１１〜１３の操作によってマルチビュー表示装置１の動作状態を制御することができるようになっている。さらに、１５は操作ボタン部１１〜１３と同様の操作をリモート操作により行なうためのリモコン端末である。
【００３７】
また、５３−ｉ，５３−ｊ（ｉ，ｊ：１〜ｎ）は音情報を出力（再生）する媒体としてのスピーカであり、後述の音出力処理部５０におけるスピーカ５３−１〜５３−ｎの一部をなすものである。
また、図３は、図２に示すマルチビュー表示部３のＡＡ′矢視断面図である。この図３に示すように、マルチビュー表示部３は、画面表面側から偏光板３１，ガラス板３２，遮光体３３，ガラス板３４，液晶表示部としてのＴＦＴ−ＬＣＤ（Thin Film Transistor- Liquid Crystal Display）３５，ガラス板３６および偏光板３７からなる表示体３８をそなえるとともに、表示体３８の裏側にバックライト３９がそなえられている。
【００３８】
ＴＦＴ−ＬＣＤ３５には、画面を構成する画素位置に対応して、液晶によるＲＧＢの発光点が配置されているが、例えばこの図３に示すように、左方向表示用のＴＦＴ−ＬＣＤ３５ａと、右方向表示用のＴＦＴ−ＬＣＤ３５ｂとが交互に配置されるようになっている。換言すれば、図４に模式的に示すように、画面上においては、左方向表示用のＴＦＴ−ＬＣＤ３５ａが配置された領域３ａと、右方向表示用のＴＦＴ−ＬＣＤ３５ｂが配置された領域３ｂと、が画面の横方向に交互に配置されるようになっている。
【００３９】
また、遮光体３３は、ＴＦＴ−ＬＣＤ３５ａ，３５ｂからの光を遮断するバリア３３ａとともに、ＴＦＴ−ＬＣＤ３５ａ，３５ｂからの光を透過する孔部３３ｂが配置されて、左方向表示用のＴＦＴ−ＬＣＤ３５ａで発光した光は左側（即ち図２のように右ハンドル車の場合には運転席側）出力され、右方向表示用のＴＦＴ−ＬＣＤ３５ｂで発光した光は右側（即ち図２中助手席側）に出力されるようになっている。
【００４０】
すなわち、領域３ｂに配置されているＴＦＴ−ＬＣＤ３５ｂで発光された光は、遮光体３３をなす孔部３３ｂを通じて運転席側には出力されるが、助手席側にはバリア３３ａによって遮断される。これにより、ＴＦＴ−ＬＣＤ３５ｂで発光した光（ＲＧＢ画素光）が孔部３３ｂを通じて出力されることにより、運転席側に表示される画面（図３のＡ参照）を構成することができる。
【００４１】
同様に、領域３ａに配置されているＴＦＴ−ＬＣＤ３５ａで発光された光は、遮光体３３をなす孔部３３ｂを通じて助手席側には出力されるが、運転席側にはバリア３３ａによって遮断される。これにより、ＴＦＴ−ＬＣＤ３５ａで発光した光（ＲＧＢ画素光）が孔部３３ｂを通じて出力されることにより、助手席側に表示される画面（図３のＢ参照）を構成することができる。
【００４２】
換言すれば、前述の第１書込回路４３−１においては、領域３ｂに配置されているＴＦＴ−ＬＣＤ３５ｂを発光させるためのデータをＶＲＡＭ４４の対応アドレスに書き込むとともに、第２書込回路４３−２においては、領域３ａに配置されているＴＦＴ−ＬＣＤ３５ａを発光させるためのデータをＶＲＡＭ４４の対応アドレスに書き込むことができるようになっている。
【００４３】
これにより、マルチビュー表示部３においては、ＶＲＡＭ４４に書き込まれている映像（画像）情報表示のためのデータに従って、第１表示部３−１による表示を行なうとともに、第２表示部３−２による表示を行なうことができるようになっている。
また、上述の操作ボタン部１１〜１３による操作を通じて、左方向表示用領域３ａをなすＴＦＴ−ＬＣＤ３５ａと、右方向表示用領域３ｂをなすＴＦＴ−ＬＣＤ３５ｂと、を独立して発光制御することとすれば、運転席方向に表示される（第１表示部３−１による）画像表示と、助手席方向に表示される（第２表示部３−２による）画像表示と、をそれぞれ独立に行なうことができる。
【００４４】
したがって、上述のマルチビュー表示部３は、第１視方向（運転席側からの視方向）から映像（画像）を観察できる第１表示部としての構成（符号３１〜３４，３５ｂ，３６，３７，３９参照）と、第２視方向（助手席側からの視方向）から映像（画像）を観察できる第２表示部としての構成（符号３１〜３４，３５ａ，３６，３７，３９参照）と、をそなえている。
【００４５】
さらに、音出力処理部５０は、第１，第２音質・音量調整回路５１−１，５１−２，分配回路５２，スピーカ５３−１〜５３−ｎおよびヘッドホン５４をそなえている。
第１，第２音質・音量調整回路５１−１，５１−２は、分配回路２７で選択、分配された２つのソース情報における音情報についてそれぞれ入力されて、入力された音情報についての（再生時の）音質・音量を調整するものである。又、分配回路５２は、第１，第２音質・音量調整回路５１−１，５１−２において音質・音量が調節された音情報について、音出力処理（即ち再生）する媒体となるｎ（ｎは複数）個のスピーカ５３−１〜５３−ｎ，ヘッドホン５４を分配するものである。分配回路２７，第１，第２音質・音量調整回路５１−１，５１−２および分配回路５２が音出力手段に相当する。
【００４６】
すなわち、第１，第２音質・音量調整回路５１−１，５１−２からの音情報はそれぞれ第１，第２表示部３−１，３−２で表示される映像（画像）情報に対応するものとすることができ、これらの音情報については、分配回路５２により、互いに異なる再生媒体であるスピーカ５３−１〜５３−ｎ，ヘッドホン５４を通じて再生することができるようになっている。
【００４７】
特に、分配回路５２においては、マルチビュー表示部３の第１表示部３−１と第２表示部３−２において互いに異なる映像（画像）を表示している場合においては、第１，第２表示部３−１，３−２のそれぞれで映像（画像）が観察できる座席側に配置されたスピーカ５３−１〜５３−ｎに、当該映像（画像）に対応した音が比較的大きく出力（再生）されるように分配することが可能であり、又一方の表示部（例えば第２表示部３−２）に対応した音についてヘッドホン５４でのみ出力されるように分配することもできる。
【００４８】
つぎに、検出制御処理部６０は、自動車に搭載されている速度センサ７１等の各種センサ７０からのセンサ情報を取り込んで、マルチビュー表示装置１としての動作状態のトリガとして用いる検出情報を取得する機能とともに、マルチビュー表示装置１についての操
作の入力を受ける機能およびこれらの検出情報や入力された操作情報をもとにして、上述のソース情報取込部２０，映像（画像）表示処理部３０および音出力処理部５０を制御する機能をそなえている。
【００４９】
このために、検出制御処理部６０は、操作入力部６１，マイクロコンピュータ（以下、単にマイコンと記載する）６２およびＲＡＭ（Random Access Memory）６３をそなえるとともに、インジケータ６６をそなえている。
操作入力部６１は、マルチビュー表示装置１についての操作を受け付ける機能を担うものであって、前述の図１に示す操作ボタン部１１〜１３により構成される。マイコン６２は、各種センサ７０から取り込んだセンサ情報から動作トリガとなる検出情報を取得するセンサ検出系６４とともに、センサ検出系６４からの検出情報や操作入力部６１で入力された操作情報をもとにソース情報取込部２０，映像（画像）表示処理部３０および音出力処理部５０を制御する制御系６５をそなえている。尚、これらのセンサ検出系６４および制御系６５並びに操作入力部６１の機能的構成については、本装置の特徴的部分であり、後述することとする。
【００５０】
また、ＲＡＭ６３は、マイコン６２においてこのような検出制御処理を行なうためのプログラム情報その他のデータ等のプリセット情報や、第１，第２表示部３−１，３−２での表示画像等を退避用に保持するものである。
〔Ａ−２〕検出制御処理部６０の機能的構成について
つぎに、検出制御処理部６０の機能的構成について、第１，第２チューナ２１，２２からのソース情報を分配回路２７で選択する場合に着目して説明する。
【００５１】
〔Ａ−２１〕操作入力部６１の機能的構成について
検出制御処理部６０の操作入力部６１は、前述したように操作ボタン部１１〜１３やリモコン端末１５等により構成されるものであるが、その機能に着目すると、選局指示部（選局指示手段）６１１，映像（画像）切替指示部６１２およびマルチ映像（画像）表示指示部６１３をそなえている。
【００５２】
ここで、選局指示部６１１は、第１チューナ２１および第２チューナ２２に対して選局指示を行なうものである。又、映像（画像）切替指示部６１２は、マルチビュー表示部３における一方の表示部（表示部３−１か又は表示部３−２）に対し、映像（画像）の切替指示を行なうものである。更に、マルチ映像（画像）表示指示部６１３は、マルチビュー表示部３における一方の表示部３−１，３−２に対し、複数番組の映像（画像）表示を行なわせるための指示を行なうものである。
【００５３】
〔Ａ−２２〕マイコン６２におけるセンサ検出系６４の機能的構成について
また、検出制御処理部６０のマイコン６２をなすセンサ検出系６４は、停止状態検出部（停止状態検出手段）６４１，走行状態検出部（移動（走行）状態検出手段）６４２，映像（画像）検出部（検出手段）６４３および受信状態検出部（受信状態検出手段）６４４をそなえている。ここで、停止状態検出部６４１は、速度センサ７１からの当該自動車（移動体）の走行速度についてのセンサ情報を取り込み、この走行速度情報に基づいて、当該自動車が停止していることを検出するものである。又、走行状態検出部６４２は、上述の走行速度情報に基づいて、当該自動車の走行状態を検出するものである。
【００５４】
さらに、映像（画像）検出部６４３は、第１表示部３−１および第２表示部３−２で表示されている各映像（画像）の異同を検出するものである。具体的には、分配回路２７でのソース情報の選択とともに、第１，第２チューナ２１，２２で選局しているチャンネルの異同に応じて、各映像（画像）の異同を検出するようになっている。
すなわち、第１，第２チューナ２１，２２からのソース情報が分配回路２７で選択されるとともに、第１，第２チューナ２１，２２で選局しているチャンネルが同じである場合には各映像（画像）が同じである旨を検出し、それ以外の場合には各映像（画像）は異なる旨を検出するようになっている。尚、映像（画像）検出部６４３においては、ＶＲＡＭ４４に書き込まれる第１表示部３−１での映像（画像）表示用のデータと、第２表示部３−２での映像（画像）表示用のデータと、を比較することにより各映像（画像）の異同を検出することとしてもよい。
【００５５】
また、受信状態検出部６４４は、第１，第２チューナ２１，２２の受信状態を検出するものである。具体的には、第１，第２チューナ２１，２２の受信状態について電界強度等の定量的な指標値として検出するとともに、検出した受信状態についての指標値の、適当な映像（画像）、音声の再生が可能か否かの基準となる閾値との大小についても検出することができるようになっている。
【００５６】
〔Ａ−２３〕マイコン６２における制御系６５の機能的構成について
さらに、検出制御処理部６０のマイコン６２をなす制御系６５は、接続状態変更制御部（制御手段）６５１，映像（画像）制御部（表示制御手段）６５２，選局サーチ部（選局サーチ手段）６５３，アンテナ選択部６５４および音制御部（音制御手段）６５５をそなえている。
【００５７】
〔Ａ−２３１〕空間ダイバーシティの変更制御について
ここで、接続状態変更制御部６５１は、映像（画像）検出部６４３での検出結果に基づき、アンテナ切替部２６を制御して、アンテナ２５−１〜２５−ｍと第１チューナ２１および第２チューナ２２との接続状態を変更して、空間ダイバーシティの状態を変更するものである。
【００５８】
具体的には、図５のフローチャートに示すように、第１，第２表示部３−１，３−２で表示している番組の切替が完了している状態において（ステップＡ１）、第１，第２表示部３−１，３−２で表示されている映像（画像）が同一、即ち同一番組が第１，第２表示部３−１，３−２で表示されていると映像（画像）検出部６４３で検出された場合は（ステップＡ２のＹＥＳルート）、接続状態変更制御部６５１は、第１，第２チューナ２１，２２が共通の空間ダイバーシティとなるように、アンテナ切替部２６を制御する〔ステップＡ３の「２チューナダイバ」（第１，第２チューナ２１，２２が異なったアンテナ２５−１〜２５−ｍで同じ番組を受信し、受信状態の良好な側のチューナの受信画像、音声を出力する）〕。
【００５９】
なお、共通の空間ダイバーシティは、第１チューナ２１又は第２チューナ２２の一方のチューナと、アンテナ２５−１〜２５−ｍを用いて、受信状態の良好なアンテナで受信した信号を第１チューナ２１又は第２チューナ２２の一方のチューナから出力するようにしてもよい。
これに対し、第１，第２表示部３−１，３−２で表示されている映像（画像）が同じでないと検出され、互いに異なる番組が第１，第２表示部３−１，３−２で表示されていると映像（画像）検出部６４３で検出された場合は（ステップＡ２のＮＯルート）、接続状態変更制御部６５１は、第１，第２チューナ２１，２２において個別の空間ダイバーシティとなるように、アンテナ切替部２６を制御する〔ステップＡ４の「１チューナダイバ」（第１，第２チューナ２１，２２の各々が独立に動作し、受信画像、音声を出力する。各チューナは受信状態が悪化したときに使用するアンテナを切り替える）〕。
【００６０】
なお、個別の空間ダイバーシティは、各チューナにアンテナ２５−１〜２５−ｍを均等に割り当ててもよいし、後述するように運転席側の映像（画像）を受信するチューナに割り当てられるアンテナの数が助手席側の映像（画像）を受信するチューナに割り当てられるアンテナの数よりも少なくすることも可能であり、又運転席側はダイバーシティを行なわず（運転席側の映像（画像）を受信するチューナに割り当てられるアンテナの数が１本）、助手席側のみダイバーシティを行なうようにしてもよい。
【００６１】
したがって、接続状態変更制御部６５１は、映像（画像）検出部６４３で第１表示部３−１および第２表示部３−２で表示されている映像（画像）が同じであることが検出されている間は、第１チューナ２１および第２チューナ２２に共通の空間ダイバーシティとなるように、アンテナ切替部２６を制御する一方、映像（画像）検出部６４３で第１チューナ２１および第２チューナ２２で表示されている映像（画像）が同じでないことが検出されると、第１チューナ２１および第２チューナ２２に共通の空間ダイバーシティを解除して、第１チューナ２１および第２チューナ２２個別の空間ダイバーシティとなるように、アンテナ切替部２６を制御するようになっている。
【００６２】
この接続状態変更制御部６５１による制御により、高画質受信と、多放送受信とのバランスがとれ、第１，第２チューナ２１，２２の有効利用を図ることができる。即ち、第１，第２チューナ２１，２２で同一番組を受信している場合には、搭載されているアンテナ２５−１〜２５−ｍ全てを第１，第２表示部３−１，３−２で映像（画像）表示される番組を受信するために用いることができるので、高画質受信を図ることができる一方、異なる番組を第１，第２チューナ２１，２２で受信している場合には、第１，第２チューナ２１，２２での受信用にアンテナ２５−１〜２５−ｍを効率的に使い分けることで、多放送受信を行なうことができる。
【００６３】
〔Ａ−２３２〕選局サーチについて
また、映像（画像）制御部（表示制御手段）６５２は、第１表示部３−１での映像（画像）表示状態と第２表示部３−２での映像（画像）表示状態とを、分配回路２７に対する制御を通じて制御するものであり、選局サーチ部６５３は、選局指示部６１１での選局指示に基づいて、第１チューナ２１および第２チューナ２１の選局サーチを行なうものである。そして、上述の映像（画像）制御部６５２においては、選局サーチ部６５３による選局サーチ動作に基づいて、第１チューナ２１からの映像（画像）および第２チューナ２２からの映像（画像）についての映像（画像）切替制御を行なうことができるようになっている。
【００６４】
具体的には、図６のフローチャートに示すように、選局指示部６１１において選局指示、即ち番組切替操作が実行された場合において（ステップＢ１）、第１チューナ２１および第２チューナ２２で同じ番組を選局中に異なった番組に切り替える旨の指示である場合には（ステップＢ２のＹＥＳルート）、選局サーチ部６５３においては、第１チューナ２１および第２チューナ２２の一方のチューナ（例えば第２チューナ２２）について異なった番組の選局サーチを行なうべく、アンテナ２５−１〜２５−ｍの各チューナ２１，２２に対する割り当てを個別にする（ステップＢ３の「１チューナダイバ」）。
【００６５】
具体的には、選局指示部６１１においては、番組切替を行なうべき側の表示部３−１，３−２を指定した上で、切替先の選局チャンネルを指示する。例えば、第２表示部３−２での選局を切り替える旨の指示を行なった場合においては、第２チューナ２２について切替先の番組にかかる選局サーチを行なうことができる。
そして、このように第１チューナ２１および第２チューナ２２で同じ番組を選局中である状態から、一方の表示部３−２において異なる番組となるように選局を切り替える指示を選局指示部６１１から受けた場合においては、接続状態変更制御部６５１では、アンテナ切替部２６を制御して、アンテナ２５−１〜２５−ｍにおける第１チューナ２１および第２チューナ２２間での共通の空間ダイバーシティを解除し、個別の空間ダイバーシティに設定する。尚、上述のごときアンテナ切替部２６による空間ダイバーシティの切替時には、現在表示している映像（画像）表示側のチューナ２１での受信状況をできるだけ良好に保つことができるようにするため、アンテナ２５−１〜２５−ｍの割り当てを優遇（例えば、選局サーチ側のチューナに対してはアンテナ１本のみを割り当て）してもよいし、選局サーチ側のチューナでの受信状況を良好にするため、アンテナ２５−１〜２５−ｍの割り当てを優遇（例えば、映像（画像）表示側のチューナに対してはアンテナ１本のみを割り当て）することができる。
【００６６】
また、このとき、映像（画像）制御部６５２では、選局サーチが完了し番組決定されるまでは、第２表示部３−２においてサーチ中の受信映像（画像）（切替中のチャンネルについての映像（画像））は表示させずに、切替前の選局チャンネル（即ち選局サーチがなされていない側の第１チューナ２１）による受信映像（画像）をそのまま表示するように制御している。即ち、映像（画像）制御部６５２では分配回路２７を制御することにより、選局サーチが完了するまでは、第１チューナ２１での受信映像（画像）を第２画質調整回路４２−２へ出力することとし、第２チューナ２２での受信映像（画像）を第２画質調整回路４２−２へは出力させないようにしている。
【００６７】
したがって、選局指示部６１１による番組切替制御が行なわれても、即座に表示部３−２による表示が切り替わらないようにしているので、映像（画像）表示の途切れやノイズ表示を防止することができ、映像（画像）の観察者に対して視覚的な不快感を生じさせることを防ぐことが可能である。
すなわち、分配回路２７においては、第１，第２チューナ２１，２２で受信するソース情報と、表示部３−１，３−２で表示する映像（画像）情報との組み合わせは、分配回路２７によって任意に設定することができる。換言すれば、第１，第２チューナ２１，２２で受信するソース情報をそれぞれ第１，第２表示部３−１，３−２での表示となるようにデフォルトで割り当てる一方、選局サーチ部６５３による第１，第２チューナ２１，２２のうちの一方での選局サーチ中においては、デフォルトで割り当てられている他方のチューナで受信している映像（画像）情報を表示することが可能である。
【００６８】
そして、選局指示部６１１による番組切替制御が行なわれても、即座に表示部３−２による表示は切り替えないようにしているので、選局指示部６１１からの指示によって選局が切り替わることを期待する観察者が、選局サーチ部６５３による選局サーチ中映像（画像）が切り替わらないことは装置の故障が原因であると勘違いすることが想定される。
本実施形態においては、インジケータ６６を通じて選局サーチ中である旨を表示した上で（ステップＢ４）、選局サーチを行なうことで（ステップＢ５）、上述のごとき勘違いを生じさせないようにしている。この選局サーチ中である旨の表示は、例えばランプ点灯によるものとしたり、画面上の文字表示によるものとしたりすることができる。
【００６９】
これにより、観察者は、インジケータ６６での表示を確認することで選局サーチ中であることがわかり、映像（画像）表示が切り替わらなくとも装置が故障していると勘違いすることがなくなる。従って、インジケータ６６は、選局サーチ部６５３による一方のチューナ（この場合には第２チューナ２２）についての選局サーチ中にその旨の表示を行なう選局サーチ中表示手段としての機能を有している。
【００７０】
その後、選局サーチが完了し、選局サーチ部６５３では、第２表示部３−２で表示すべき番組が決定するまで選局サーチを続行する（ステップＢ６のＮＯルートからステップＢ５）。そして、選局サーチが完了し、第２表示部３−２で表示すべき番組が決定した場合には（ステップＢ６のＹＥＳルート）、選局サーチ部６５３では、インジケータ６６で表示していた選局サーチ中である旨の表示を解除（消去）するとともに（ステップＢ７）、映像（画像）制御部６５２において、選局指示部６１１で選局切替指示の対象となっている表示部３−２での表示を切り替える（ステップＢ８）。
【００７１】
換言すれば、映像（画像）制御部６５２においては、選局サーチ部６５３により一方のチューナ２２について選局サーチが終了して、一方のチューナ２２を通じて（チューナ２１が選局している番組とは）異なった番組の映像（画像）表示が可能となったときに、選局切替指示の対象となっている表示部３−２の映像（画像）切替を実行する。
なお、第１チューナ２１および第２チューナ２２で異なる番組を選局中である状態において、一方の表示部３−２においての選局を他チャンネルに切り替える指示を選局指示部６１１から受けた場合においては（ステップＢ２のＮＯルート）、選局サーチ部６５３においては、選局指示を受けた表示部３−２での番組を受信していたチューナ（例えば第２チューナ２２）において選局サーチを行なう（ステップＢ９）。このとき、第１，第２チューナ２１，２２における空間ダイバーシティは、個別の空間ダイバーシティのままである。
【００７２】
また、選局サーチ部６５３は、第１チューナ２１および第２チューナ２２で同じ番組を選局中に、一方のチューナ２２について選局サーチを行なうように構成されているので、選局中の番組については映像（画像）表示を途切らせることなく選局サーチを行なうことができ、更にサーチ結果をプリセット記憶部６３に蓄積しておくことができるので、次回の選局指示を受けた場合には番組切替に要する時間を短縮化させることができる。
【００７３】
具体的には、図７のフローチャートに示すように、番組切替完了時、即ち番組切替の行なわれたチューナ２１，２２が切替後の番組を受信すると（ステップＣ１）、選局サーチ部６５３ではこれをトリガとして選局サーチを行なうか否かを、所定のサーチ条件を満た
すか否かで判断する。このサーチ条件としては、受信状態検出部６４４で検出される受信状態が閾値以上の良好な状態か否かを条件としたり、停止状態検出部６４１において本マルチビュー表示装置１が搭載されている自動車の走行が停止しているか否かを条件としたりすることができる。
【００７４】
たとえば、受信状態をサーチ条件とする場合においては選局サーチ部６５３では次のように選局サーチを行なう。まず、番組切り替えが完了し、２つのチューナ２１，２２が同一番組を受信するようになった場合に、これをトリガとして受信状態検出部６４４において検出される受信状態を判断する（ステップＣ２のＹＥＳルートからステップＣ３）。
すなわち、受信状態検出部６４４において上述の指標値が閾値以上の受信状態であると検出され、受信状態が良好であると認められる場合には、第１チューナ２１および第２チューナ２２の一方のチューナについて選局サーチを行なう（ステップＣ３のＹＥＳルートからステップＣ４，Ｃ５）。しかし、２つのチューナ２１，２２が同一番組を受信していない場合や、受信状態検出部６４４において上述の指標値が閾値よりも小さい受信状態であると検出され、受信状態が良好ではないと認められる場合には、選局サーチ部６５３では選局サーチを行なわない（ステップＣ２のＮＯルート，ステップＣ３のＮＯルート）。
【００７５】
また、自動車の停止状態をサーチ条件とする場合においては選局サーチ部６５３では次のように選局サーチを行なう。まず、番組切替が完了し、２つのチューナ２１，２２が同一番組を受信するようになった場合に、これをトリガとして停止状態検出部６４１において検出される自動車の走行状態が停止状態か否かを判断する（ステップＣ２のＹＥＳルートからステップＣ３）。
【００７６】
すなわち、停止状態検出部６４１において自動車が停止状態であると検出された場合には、第１チューナ２１および第２チューナ２２の一方のチューナについて（ステップＣ３のＹＥＳルートからステップＣ４）、選局サーチを行なう（ステップＣ５，ステップＣ６のＮＯルート）。しかし、停止状態検出部６４１において自動車が停止状態にないと検出された場合には、選局サーチ部６５３では選局サーチを行なわない（ステップＣ３のＮＯルート）。
【００７７】
上述の選局サーチを選局サーチ部６５３で行なう場合、アンテナ選択部６５４においてアンテナ２５−１〜２５−ｍのうちで表示画像用アンテナ（例えば、現在、選局サーチを行なわない側のチューナが接続されているアンテナ）を選択するとともに、表示画像用アンテナ以外のアンテナを選局サーチ用アンテナとして選択するようになっている。そして、このアンテナ選択部６５４での選択に従って、アンテナ切替部２６では第１，第２チューナ２１，２２に接続するアンテナ２５−１〜２５−ｍを切り替える。
【００７８】
たとえば、同じ番組を選局している第１，第２チューナ２１，２２のうちで、第２チューナ２２について選局サーチを行なう場合には、アンテナ切替部２６においては、第１チューナ２１を上述の表示画像用アンテナに接続させる一方、第２チューナ２２を選局サーチ用アンテナに接続させる。
なお、選局サーチ部６５３において選局サーチされた結果については、ＲＡＭ６３に記憶しておく。これにより、次回の選局切替を行なう際において、ＲＡＭ６３に記憶されたサーチ結果を利用することで、切替に要する時間を短縮化させることができる。
【００７９】
このようにして選局サーチ部６５３による選局サーチが完了すると（ステップＣ６のＹＥＳルート）、接続状態変更制御部６５１においてはアンテナ切替部２６を制御して、アンテナ２５−１〜２５−ｍをもとの空間ダイバーシティ、即ち第１，第２チューナ２１，２２において共通の空間ダイバーシティとなるように設定する（ステップＣ７）。
なお、前述のサーチ条件成立によるサーチは、周波数ダイバーシティを行ない、同内容の番組を放送している放送局をサーチするようにしてもよいし、空間ダイバーシティと周波数ダイバーシティとを組み合わせて行なうようにしてもよい。
【００８０】
〔Ａ−２３３〕表示画面を切り替える機能について
また、図１に示すマルチビュー表示部３の表示については、本マルチビュー表示装置１
が搭載される自動車が走行中であるか否かに応じて、第１，第２表示部３−１，３−２での表示に優劣を設けるようにすることができる。
具体的には、図８のフローチャートに示すように、走行状態検出部６４２において、速度センサ７１からのセンサ情報である走行速度情報を所定時間ごとに取り込んで、取り込んだ走行速度情報をもとに、当該自動車が走行中であるか否かを検出する（ステップＤ１）。
【００８１】
このとき、当該自動車が停止中である場合には、第１，第２表示部３−１，３−２での映像（画像）表示には優劣を設けず、通常の表示態様とするが（ステップＤ２のＮＯルートからステップＤ４）、当該自動車が走行中である場合には、助手席側から観察できる第２表示部３−２での映像（画像）表示を第１表示部３−１での映像（画像）表示よりも優遇する（ステップＤ２のＹＥＳルートからステップＤ３）。これにより、運転席側から観察できる第１表示部３−１の表示を、走行中の表示規制の一態様として受信感度を相対的に低下させている。
【００８２】
具体的には、走行状態検出部６４２により自動車の走行状態が検出されているときは、運転席以外の視方向から観察できる表示である第２表示部３−２が、受信状態が閾値以上のチューナからの映像（画像）を表示するように、映像（画像）制御部６５２が（分配回路２７に対する制御を通じて）映像（画像）の切替を行なうようにすることができる。
または、第１，第２表示部３−１，３−２において、それぞれ第１，第２チューナ２１，２２で受信した放送番組の映像（画像）を表示している場合において、走行状態検出部６４２により自動車の走行状態が検出されているときは、アンテナ選択部６５４によるアンテナ切替部２６の制御により、第２表示部３−２で表示する放送番組の映像（画像）を受信する第２チューナ２２での受信感度が、第１チューナ２１での受信感度よりも良好なものとなるように、アンテナ２５−１〜２５−ｍの割り当て配分を設定する。具体的には、第２表示部３−２で表示している放送番組を受信する第２チューナ２２に接続されているアンテナ２５−１〜２５−ｍの本数を増やすことで受信感度を上げる。
【００８３】
なお、走行中に運転席側においては、映像（画像）表示処理部３０を制御して受信映像（画像）とは異なる規制画像を表示し、音声のみ出力するように制御してもよく、この場合、運転席の受信感度を、受信映像（画像）を表示する助手席側に比べて低くできるので、前述のように運転席側に対応する第１チューナ２１に割り当てるアンテナ２５−１〜２５−ｍの本数を少なくすることも可能である（例えば、第１チューナ２１に対して割り当てるアンテナを１本とする等）。
【００８４】
さらに、映像（画像）制御部６５２においては、受信状態検出部６４４により第１チューナ２１および第２チューナ２２のいずれかで閾値よりも小さい受信状態が検出されたときに、閾値よりも小さい受信状態のチューナ以外のチューナからの映像（画像）に切り替えるようにすることも可能である。
具体的には、図９のフローチャートに示すように、所定時間ごとに、第１，第２チューナ２１，２２での受信状態についての検出結果を受信状態検出部６４４から受け取り（ステップＥ１）、片方だけ悪化していると認められる場合には、映像（画像）制御部６５２では、当該受信状態が悪化したチューナからの映像（画像）を表示する表示部（例えば第１チューナ２１からの映像（画像）を表示する第１表示部３−１）の表示を、受信状態が良好な第２チューナ２２からの映像（画像）を表示するように切り替える（ステップＥ２の「片方悪化」ルートからステップＥ３）。
【００８５】
また、受け取った第１，第２チューナ２１，２２での受信状態が良好である場合にはそのままの受信状態を継続し（ステップＥ２の「良好」ルート）、第１，第２チューナ２１，２２の双方の受信状態が悪化している場合には、映像（画像）制御部６５２では、例えば静止画像を表示する等、受信状態が悪化したときの通常の処理を行なう（ステップＥ２の「全悪化」ルートからステップＥ４）。
【００８６】
上述の受信状態が良好な第２チューナ２２からの映像を表示するように第１表示部３−１での表示を切り替えた後、受信状態が悪化していた第１チューナ２１の受信感度が回復した場合には、映像（画像）制御部６５２においては、以下のように、第１表示部３−１での表示を、もとの第１チューナ２１で受信する映像（画像）を表示するように制御する。
【００８７】
具体的には、図１０のフローチャートに示すように、選局サーチ部６５３において、受
信状態検出部６４４により第１チューナ２１および第２チューナ２２のいずれか（例えば第１チューナ２１）で閾値よりも小さい受信状態が検出されているときに、閾値よりも小さい受信状態のチューナ２１以外のチューナ２２からの番組と同じ番組を閾値よりも小さい受信状態のチューナ２１についてサーチしておく（ステップＦ１）。
【００８８】
そして、映像（画像）制御部６５２では、閾値よりも小さい受信状態の第１チューナ２１について受信状態が閾値以上になり受信状態が回復するまでは、第１表示部３−１では第２チューナ２２からの受信映像（画像）を表示し（ステップＦ２のＮＯルート）、第１チューナ２１について受信状態が閾値以上になり受信状態が回復すると（ステップＦ２のＹＥＳルート）、第１表示部３−１において、閾値よりも小さい受信状態であった第１チューナ２１からの映像（画像）に切り替えるように制御する（ステップＦ３）。
【００８９】
さらに、上述の映像（画像）切替指示部６１２から、マルチビュー表示部３における第１，第２表示部３−１，３−２のうちの一方の表示部（例えば第１表示部３−１）に対し、映像（画像）の切替指示を受けた場合には、映像（画像）制御部６５２は、マルチビュー表示部３における他方の表示部３−２による表示を一方の表示部３−１にて行なうように構成されている。これにより、映像（画像）切替指示部６１２からの指示によって、マルチビュー表示部３における一方の表示部３−１において、他方の表示部３−２において表示している映像（画像）情報を表示することができるようになる。
【００９０】
具体的には、図１１のフローチャートに示すように、映像（画像）切替指示部６１２を通じて、例えば第１表示部３−１に対して映像（画像）の切り替え指示が設定された場合には（ステップＧ１の「設定」ルート）、切り替え対象となる第１表示部３−１でそれまで表示していた映像（画像）についての番組情報（選局情報等）をＲＡＭ６３に記憶しておくとともに（ステップＧ２）、映像（画像）制御部６５２において分配回路２７を制御することにより、第２表示部３−２で表示している番組（相手側番組）を表示する（ステップＧ３）。
【００９１】
そして、映像（画像）切替指示部６１２を通じて、例えば第１表示部３−１に対して映像（画像）の切り替え指示の設定が解除された場合には（ステップＧ１の「解除」ルート）、ＲＡＭ６３に記憶しておいたもとの番組情報に基づいて、映像（画像）切り替え前のもとの番組についての映像（画像）を表示するのである（ステップＧ４）。
このような映像（画像）の切り替えを行なうことができるようにすることで、相手側の表示部において良好な感度で放送番組を受信している場合には、簡易且つ迅速にその相手側放送番組を自身側の表示部に表示させて確認することが可能となる。
【００９２】
また、マルチ映像（画像）表示指示部６１３から、マルチビュー表示部３における第１，第２表示部３−１，３−２のうちの一方の表示部（例えば第１表示部３−１）に対し、複数番組の映像（画像）表示を行なわせるための指示を受けた場合には、映像（画像）制御部６５２においては、当該一方の表示部３−１に、複数番組の映像（画像）表示を行なわせるべく制御することが可能である。
【００９３】
具体的には、図１２のフローチャートに示すように、マルチ映像（画像）表示指示部６１３を通じて、例えば第１表示部３−１に対して複数番組の映像（画像）表示を行なわせるための指示を受けると（ステップＨ１）、映像（画像）制御部６５２においては、分配回路２７を制御することにより、第１表示部３−１へ表示すべき映像（画像）情報を複数番組の映像（画像）表示（マルチ画像表示）となるようにしている（ステップＨ２）。
【００９４】
なお、このとき、第１表示部３−１でそれまで表示していた映像（画像）についての番組情報（選局情報等）は、映像（画像）制御部６５２を通じて、ＲＡＭ６３に記憶しておく。又、映像（画像）制御部６５２による制御により、分配回路２７において、第１表示部３−１を複数にブロック分割して、このブロックごとに番組映像（画像）を表示するように映像（画像）情報を生成することとしている。
【００９５】
上述のごとき一方の表示部３−１でのマルチ画像表示を行なっている場合において、他方の表示部（第２表示部３−２）において一方の表示部３−１での表示のコピー操作が操作入力部６１を通じて入力されると、当該一方の表示部３−１での表示のコピーを他方の表示部３−２に表示する（ステップＨ３のＹＥＳルートからステップＨ４）。これにより、コピー表示を受ける第２表示部３−２においては、マルチ画面化を比較的短時間で行なうことができ、番組視聴の中断を短くすることができる。
【００９６】
また、マルチ映像（画像）表示指示部６１３からの指示によって切り替えられた第１表示部３−１でのマルチ画像表示は、マルチ映像（画像）表示指示部６１３を通じてマルチ映像（画像）表示の解除操作があるまでは継続する（ステップＨ５の「設定」ルートからステップＨ２）。そして、解除操作があると、第１表示部３−１ではマルチ画像表示を解除し、ＲＡＭ６３で記憶されているもとの番組情報に基づいて、映像（画像）切り替え前のもとの番組についての映像（画像）を表示するのである（ステップＨ５の「解除」ルートからステップＨ６）。
【００９７】
〔Ａ−２３４〕音制御について
ところで、音制御部６５５は、複数のスピーカ５３−１〜５３−ｎ又はヘッドホン５４から出力される音についての制御を行なうものである。
たとえば、映像（画像）制御部６５２においては、受信状態検出部６４４により第１チューナ２１および第２チューナ２２のいずれかで閾値よりも小さい受信状態が検出されたときに、閾値よりも小さい受信状態のチューナ以外のチューナからの映像（画像）に切り替えることができるようになっているが（図９のフローチャート参照）、音制御部６５５においては、この映像（画像）の切り替えに対応してスピーカ５３−１〜５３−ｎを通じて出力する音（音声）についても切り替え制御を行なうことができるようになっている。これにより、受信状態が悪化した状態での音声出力を回避して、視聴者に対して不快感を与えないようにしている。
【００９８】
具体的には、図１３のフローチャートに示すように、受信状態検出部６４４で第１チューナ２１および第２チューナ２２のいずれか（例えば第１チューナ２１）で閾値よりも小さい受信状態が検出されたときには、音制御部６５５では、閾値よりも小さい受信状態の第１チューナ２１からの音については、第１音質・音量調整回路５１−１を制御することによりミュートする（ステップＪ１のＹＥＳルートからステップＪ２）。
【００９９】
このとき、受信状態検出部６４４において、相手側表示部である第２表示部３−２で表示する映像（画像）情報を受信する第２チューナ２２での受信状態については、閾値以上であり、良好であると認められるときは、映像（画像）および音声ともに相手側の第２チューナ２２からの情報（映像（画像）および音声）を表示・出力することとし（ステップＪ３のＹＥＳルートからステップＪ４）、第１音質・音量調整回路５１−１を制御して音声ミュートを解除する（ステップＪ５）。
【０１００】
すなわち、映像（画像）制御部６５２においては、閾値よりも小さい第１チューナ２１からの映像（画像）を表示していた第１表示部３−１について、第２チューナ２２からの映像（画像）を表示すべく映像（画像）切り替えを制御する。更に、音制御部６５５においても、第１チューナ２１からの音声を表示（出力）していた（第１表示部３−１からの映像（画像）に対応して割り当てられていた）スピーカ５３−１〜５３−ｎについて、第２チューナ２２からの音声を表示（出力）すべく分配回路５２を制御して、音声切り替えを行なう。
【０１０１】
また、受信状態検出部６４４において、相手側表示部である第２表示部３−２で表示する映像（画像）情報を受信する第２チューナ２２での受信状態についても、閾値よりも小さく、良好ではないと認められるときは、第１，第２チューナ２１，２２以外の入力ソース部であるナビゲーション装置２３あるいはＤＶＤ装置２４からの音を表示（出力）する（ステップＪ３のＮＯルート，ステップＪ６のＹＥＳルートからステップＪ７）。
【０１０２】
なお、第１チューナ２１および第２チューナ２２のいずれかで閾値よりも小さい受信状態が検出されたときに、閾値よりも小さい受信状態のチューナを第１，第２チューナ２１，２２以外の入力ソース部に切り替えるようにしてもよい。
なお、上述のごとき第１，第２チューナ２１，２２以外の入力ソース部がスピーカ５３−１〜５３−ｎやヘッドホン５４に接続されておらず、第１，第２チューナ２１，２２以外の入力ソース部からの音を表示（出力）することができない場合には、第１チューナ２１での受信状態が良好な状態に回復するまでミュートした状態を維持する（ステップＪ６のＮＯルート、ステップＪ８のＮＯルート）。
【０１０３】
また、上述の良好な受信状態を有する第２チューナ２２からの映像（画像），音声に切り替えられた場合（ステップＪ４，Ｊ５）や、第１，第２チューナ２１，２２以外の入力ソース部からの音声に切り替えられた場合（ステップＪ７）においても、切り替え前に音声表示（出力）を行なっていたチューナである第１チューナ２１での受信状態が良好な状態に回復すると、映像（画像）制御部６５２および音制御部６５５では、それぞれ、元の映像（画像）と音である、第１チューナ２１からの映像（画像）情報および音声情報の出力に切り替える（ステップＪ８のＹＥＳルートからステップＪ９）。
【０１０４】
また、音制御部６５５においては、受信状態悪化時の別な制御態様として、受信状態検出部６４４により第１チューナ２１および第２チューナ２２のいずれか（例えば第１チューナ２１）で閾値よりも小さい受信状態が検出された状態が所定時間継続すると、閾値よりも小さい受信状態の第１チューナ２１からの音についての第１音質・音量調整回路５１−１を制御して、この第１チューナ２１からの映像（画像）に対応する音声をミュートしていくようにすることができる。
【０１０５】
具体的には、図１４のフローチャートに示すように、受信状態検出部６４４で第１チューナ２１および第２チューナ２２のいずれか（例えば第１チューナ２１）で閾値よりも小さい受信状態が検出されたとき（ステップＫ１のＹＥＳルート）、この受信状態検出部６４４で検出された受信状態の変化が急峻な変化である場合には、音制御部６５５においては即座に該当第１チューナ２１からの音声をミュートすべく制御する（ステップＫ２のＹＥＳルートからステップＫ３）。
【０１０６】
また、受信状態検出部６４４で検出された受信状態の変化が急峻な変化でなく（ステップＫ２のＮＯルート）、かつ、閾値よりも小さい受信状態が検出された状態が所定時間継続した場合には、音制御部６５５では、第１チューナ２１からの音声については除々にミュートしていく（ステップＫ４のＹＥＳルートからステップＫ５）。
なお、上述のごとく急峻な受信感度の変化に対して即座に音声ミュートを行なった場合（ステップＫ３）や、所定時間継続する受信状態の良好でない状態に対して除々に音声ミュートを行なった場合（ステップＫ５）のいずれの場合においても、切り替え前に音声表示を行なっていたチューナである第１チューナ２１での受信状態が良好な状態に回復すると、音制御部６５５では、元の音声である、第１チューナ２１からの音声情報の表示（出力）に切り替える（ステップＫ６のＹＥＳルートからステップＫ７）。
【０１０７】
換言すれば、音制御部６５５では、閾値よりも小さい受信状態のチューナ（この場合には第１チューナ２１）について受信状態が閾値以上になると、この閾値よりも小さい受信状態であったチューナ（第１チューナ２１）からの音に切り替えることとするのである。
なお、音制御部６５５においては、受信状態検出部６４４により第１チューナ２１および第２チューナ２２のいずれか（例えば第１チューナ２１）で閾値よりも小さい受信状態が検出された状態（時点）から、所定時間以内に受信状態悪化度合いの高い他の閾値よりも小さい状態が検出されると、他の閾値よりも小さい受信状態のチューナ（例えば第１チューナ２１）からの映像（画像）に対応する音をミュートするように構成することもできる。
【０１０８】
すなわち、受信状態検出部６４４で検出された受信状態の変化が急峻な変化でない場合
であっても、所定時間継続を判断する前に、上述の閾値よりも受信状態の悪化を判断する他の閾値である第２の閾値よりも、受信状態の指標値が小さくなってしまった場合には、音制御部６５５では即座に音声ミュートすることができるのである。
なお、上述の受信状態検出部６４４での受信状態としては、ＴＳ（Transport Stream）エラー信号，Ｓ（信号）レベルおよびＡＧＣ（Automatic Gain Control）電圧との組み合わせで検出することができるようになっている。
【０１０９】
すなわち、受信状態検出部６４４では、図１５のフローチャートに示すように、ＴＳエラー信号とＳレベルおよびＡＧＣ電圧から、受信状態の指標値を求め（ステップＬ１）、当該指標値と、適当な映像（画像）ないし音再生ができる受信状態か否かを判断する基準として予め設定される閾値と、を比較し、求められた指標値がこの閾値以上である場合には受信状態は良好であると判断し（ステップＬ２のＹＥＳルートからステップＬ３）、閾値よりも小さい場合には受信状態は良好でないと判断することができる（ステップＬ２のＮＯルートからステップＬ４）。
【０１１０】
この求められる指標値としては、ＴＳエラーが発生したり、Ｓレベルが低下したり、ＡＧＣレベル制御量が増大した場合には、値が小さくなるように導出することができる。
〔Ａ−３〕
このように、本発明の一実施形態にかかるマルチビュー表示装置１によれば、接続状態変更制御部６５１による制御により、高画質受信と、多放送受信とのバランスがとれ、第１，第２チューナ２１，２２の有効利用を図りつつ、第１，第２チューナ２１，２２での受信用にアンテナ２５−１〜２５−ｍを効率的に使い分けることで、多放送受信を円滑に行なうことができる利点がある。
【０１１１】
〔Ｂ〕その他
上述した実施形態にかかわらず、本発明の趣旨を逸脱しない範囲において種々変形して実施することが可能である。
たとえば、上述のマイコン６２の制御系６５においては、第１チューナ２１および第２チューナ２２の動作状態に応じて、複数のアンテナ２５−１〜２５−ｍの第１，第２チューナ２１，２２への割り当てを規定するアンテナ割当規定部（アンテナ割当規定手段）６５６をそなえることとしてもよく、このようにすれば、アンテナの最適配分ができ、効果的なアンテナ利用が可能となる。例えば、比較的高い受信品質が求められるものにアンテナを多く配分することで、良好な受信を行なうことが可能となる。
【０１１２】
なお、アンテナ割当基底部は、前述したように移動状態に応じて複数のアンテナ２５−１〜２５−ｍの第１，第２チューナ２１，２２への割り当てを規定してもよい。
また、上述の実施形態においては自動車にマルチビュー表示装置を搭載した場合について詳述しているが、本発明によればこれに限定されるものではなく、自動車以外の乗物に搭載したり、又乗物以外の場所に設置したりすることも、もちろん可能である。
【０１１３】
さらに、上述のマルチビュー表示部３においては、同一表示面において第１視方向から映像（画像）を観察できる第１表示部３−１と第２視方向から映像（画像）を観察できる第２表示部３−２とをそなえた構成について詳述しているが、本発明によればこれに限定されるものではなく、同一表示面において３つ以上の視方向から映像（画像）を独立して観察できるようにすることも、もちろん可能である。
【０１１４】
また、独立して観察できる映像（画像）数に応じて２つ以上のチューナを搭載することとしてもよい。
さらに、異なる表示面で映像（画像）を観察できる複数の表示部をそなえた場合においても、本発明の技術的特徴を適用することは可能である。具体的には、複数のチューナと複数のアンテナとの接続状態を切り替えるアンテナ切替手段をそなえるとともに、複数の表示部のうちの一の表示部で表示する個別画像に対応する第１放送番組と、複数の表示部のうちの前記一の表示部以外の表示部で表示する個別画像に対応する第２放送番組との異同を検出する検出手段と、該検出手段の検出結果に基づいて、該アンテナ切替手段を制御する制御手段と、をそなえることができる。
【０１１５】
たとえば、図１６に示すように、１列目シート１０１，２列目シート１０２および３列目シート１０３が車室１１０内に配置された車両（移動体）１００において、車室１１０内のインストルメントパネル１２５の車幅方向略中央部に１列目シート１０１に着座する乗員用の表示部としてのフロントモニタ１２６が設けられるとともに、１列目シート１０１後部の車室１１０天井（２列目シート１０２の前側上方天井）の車幅方向略中央部に２列目，３列目シート１０２，１０３に着座する乗員用の表示部としてのリアモニタ１２７が設けられる場合においても、本願発明の特徴的構成を適用することができる。
【０１１６】
この場合においては、例えば図１７に示すように受信装置としての表示装置１３０を構成する。この図１７に示す表示装置１３０は、自動車等の乗物に搭載されて、複数のアンテナ２５−１〜２５−ｍと第１，第２チューナ２１，２２との間でのアンテナ割当を設定するとともに、第１，第２チューナ２１，２２からのソース情報（映像（画像）および音声表示の源となる情報）や、入力ソースに相当するナビゲーション装置２３およびＤＶＤ装置２４からのソース情報を取り込んで、フロントモニタ１２６，リアモニタ１２７やスピーカ５３−１〜５３−ｎ又はヘッドホン５４等を通じて表示するものである。
【０１１７】
この図１７に示す表示装置１３０は、前述の図１に示す受信装置であるマルチビュー表示装置１に比して、ソース情報としての映像（画像）情報について表示処理する映像（画像）表示処理部３０′の構成が異なっているが、それ以外の構成については、図１に示すものと基本的に同様である。尚、図１７中、図１と同一の符号はほぼ同様の部分を示している。
【０１１８】
ここで、映像（画像）表示処理部３０′は、前述の図１に示すもの（符号３０参照）と異なり、マルチビュー表示部３に代えて、異なる複数の（この場合においては２つの）表示部としてのフロントモニタ１２６およびリアモニタ１２７をそなえるとともに、これらのフロントモニタ１２６およびリアモニタ１２７のための画質調整回路４２′−１，４２′−２および書込回路４３′−１，４３′−２をそれぞれそなえ、かつＶＲＡＭ（Video Random Access Memory）４４をそなえている。
【０１１９】
ここで、フロントモニタ画質調整回路４２′−１は、分配回路２７で選択、分配されたフロントモニタ１２６での表示用の映像（画像）情報について入力されて、入力された映像（画像）情報についての（映像（画像）表示時の）画質を調整するものである。同様に、リアモニタ画質調整回路４２′−２は、分配回路２７で選択、分配されたリアモニタ１２７での表示用の映像（画像）情報について入力されて、入力された映像（画像）情報についての（映像（画像）表示時の）画質を調整するものである。
【０１２０】
即ち、フロントモニタ画質調整回路４２′−１においては、フロントモニタ１２６で表示すべき映像（画像）情報をなすデータが入力され、フロントモニタ１２６での映像（画像）表示時の画質を調整すべく、入力された映像（画像）情報をなすデータに加工を施す。同様に、リアモニタ画質調整回路４２′−２においては、リアモニタ１２７で表示すべき映像（画像）情報をなすデータが入力され、リアモニタ１２７での映像（画像）表示時の画質を調整すべく、入力された映像（画像）情報をなすデータに加工を施す。
【０１２１】
また、フロントモニタ書込回路４３′−１は、フロントモニタ画質調整回路４２′−１で画質が調整された映像（画像）情報をなすデータについて、フロントモニタ１２６で表示するためにＶＲＡＭ４４−１に書き込むものである。同様に、リアモニタ書込回路４３′−２は、リアモニタ画質調整回路４２′−２で画質が調整された映像（画像）情報をなすデータについて、リアモニタ１２７で表示するためにＶＲＡＭ４４−２に書き込むものである。
【０１２２】
このように構成された表示装置１３０においても、前述の図１に示すものと同様に、検出制御処理部６０において、自動車１００に搭載されている速度センサ７１等の各種センサ７０からのセンサ情報を取り込んで、表示装置１３０としての動作状態のトリガとして用いる検出情報を取得する機能とともに、表示装置１３０についての操作の入力を受ける機能およびこれらの検出情報や入力された操作情報をもとにして、ソース情報取込部２０，映像（画像）表示処理部３０′および音出力処理部５０を制御している。
【０１２３】
特に、上述の図１に示す実施形態の場合と同様に、接続状態変更制御部６５１による制御により、高画質受信と、多放送受信とのバランスがとれ、第１，第２チューナ２１，２２の有効利用を図りつつ、第１，第２チューナ２１，２２での受信用にアンテナ２５−１〜２５−ｍを効率的に使い分けることで、多放送受信を円滑に行なうことができる利点がある。
【０１２４】
また、上述した実施形態の開示により、いわゆる当業者であれば本発明の装置を製造することは可能である。
【図面の簡単な説明】
【０１２５】
【図１】本発明の一実施形態にかかるマルチビュー表示装置の全体構成を示すブロック図である。
【図２】本実施形態にかかるマルチビュー表示装置の車室内への搭載例を示す模式図である。
【図３】本実施形態におけるマルチビュー表示部を示す模式図である。
【図４】本実施形態におけるマルチビュー表示部を示す模式図である。
【図５】本実施形態の動作を説明するためのフローチャートである。
【図６】本実施形態の動作を説明するためのフローチャートである。
【図７】本実施形態の動作を説明するためのフローチャートである。
【図８】本実施形態の動作を説明するためのフローチャートである。
【図９】本実施形態の動作を説明するためのフローチャートである。
【図１０】本実施形態の動作を説明するためのフローチャートである。
【図１１】本実施形態の動作を説明するためのフローチャートである。
【図１２】本実施形態の動作を説明するためのフローチャートである。
【図１３】本実施形態の動作を説明するためのフローチャートである。
【図１４】本実施形態の動作を説明するためのフローチャートである。
【図１５】本実施形態の動作を説明するためのフローチャートである。
【図１６】本発明の他の実施形態にかかる表示装置が適用される車両の車室内を示す図である。
【図１７】本発明の他の実施形態にかかる表示装置の全体構成を示すブロック図である。
【符号の説明】
【０１２６】
１    マルチビュー表示装置
２    ハンドル部
３  マルチビュー表示部
３−１    第１表示部
３−２    第２表示部
４    車室
１１〜１３    操作ボタン部
１５    リモコン端末
２０    ソース情報取込部
２１    第１チューナ
２２    第２チューナ
２３    ナビゲーション装置
２４    ＤＶＤ装置
２５−１〜２５−ｍ    アンテナ
２６    アンテナ切替回路
２７    分配回路
３０    映像（画像）表示処理部
３１，３７    偏光板
３２，３４，３６    ガラス板
３３    遮光体
３５，３５ａ，３５ｂ    ＴＦＴ−ＬＣＤ
３９    バックライト
４２−１    第１画質調整回路
４２′−１    フロントモニタ画質調整回路
４２−２    第２画質調整回路
４２′−２    リアモニタ画質調整回路
４３−１    第１書込回路
４３′−１    フロントモニタ書込回路
４３−２    第２書込回路
４３′−２    リアモニタ書込回路
４４    ＶＲＡＭ
５０    音出力処理部
５１−１    第１音質・音量調整回路
５１−２    第２音質・音量調整回路
５２    分配回路
５３−１〜５３−ｎ    スピーカ
５４    ヘッドホン
６０    検出制御処理部
６１    操作入力部
６１１    選局指示部
６１２    映像（画像）切替指示部
６１３    マルチ映像（画像）表示指示部
６２    マイクロコンピュータ
６３    ＲＡＭ
６４    センサ検出系
６４１    停止状態検出部（停止状態検出手段）
６４２    走行状態検出部（走行状態検出手段）
６４３    映像（画像）検出部（検出手段）
６４４    受信状態検出部（受信状態検出手段）
６５    制御系
６５１    接続状態変更制御部
６５２    映像（画像）制御部
６５３    選局サーチ部
６５４    アンテナ選択部
６５５    音制御部
６５６    アンテナ割当規定部
６６    インジケータ
７０    各種センサ
７１    速度センサ
１００    車両
１０１〜１０３    シート
１１０    車室
１２５    インストルメントパネル
１２６    フロントモニタ
１２７    リアモニタ
１３０    表示装置
【図１】
2007043658.tif 000003
【図２】
2007043658.tif 000004
【図３】
2007043658.tif 000005
【図４】
2007043658.tif 000006
【図５】
2007043658.tif 000007
【図６】
2007043658.tif 000008
【図７】
2007043658.tif 000009
【図８】
2007043658.tif 000010
【図９】
2007043658.tif 000011
【図１０】
2007043658.tif 000012
【図１１】
2007043658.tif 000013
【図１２】
2007043658.tif 000014
【図１３】
2007043658.tif 000015
【図１４】
2007043658.tif 000016
【図１５】
2007043658.tif 000017
【図１６】
2007043658.tif 000018
【図１７】
2007043658.tif 000019